(57)【要約】【課題】マーキングの作業性を改善する締結具マーキング構造及び締結具マーキング方法を提供する。【解決手段】取り付けられる締結具（１２）と一致する範囲の締結部位（１１ｂ）を有する締結対象（１１）と、締結対象（１１）の上において締結部位（１１ｂ）に対して両側に配置される第１の位置決め突起（１７）及び第２の位置決め突起（１８）とを有し、前記第１の位置決め突起（１７）及び第２の位置決め突起（１８）を結ぶ直線（Ｌ１）が締結部位（１１ｂ）を横切る。【選択図】図２
2011089259.tif 000002
【特許請求の範囲】
【請求項１】
取り付けられる締結具と一致する範囲の締結部位を有する締結対象と、
前記締結対象の上において前記締結部位に対して両側に配置される第１の位置決め突起及び第２の位置決め突起とを有し、
前記第１の位置決め突起及び第２の位置決め突起を結ぶ直線が前記締結部位を横切る、
締結具マーキング構造。
【請求項２】
前記第１の位置決め突起及び第２の位置決め突起を結ぶ直線は前記締結対象に取付けられた前記締結具を横切る、請求項１に記載の締結具マーキング構造。
【請求項３】
前記締結具は前記第１の位置決め突起及び第２の位置決め突起を結ぶ直線と一致する第１のマーキングを有し、
前記締結対象は、前記第１の位置決め突起及び第２の位置決め突起を結ぶ直線と一致する第２のマーキングを有する、請求項２に記載の締結具マーキング構造。
【請求項４】
前記第２のマーキングは前記第１の位置決め突起の端から第２の位置決め突起の端まで延びる、請求項３に記載の締結具マーキング構造。
【請求項５】
前記第１の位置決め突起及び第２の位置決め突起の少なくとも一方は、前記第１の位置決め突起及び第２の位置決め突起を結ぶ直線上で直線に延びる、
請求項１に記載の締結具マーキング構造。
【請求項６】
締結具が取り付けられた締結対象の上において前記締結具に対して両側に配置されると共に互いを結ぶ直線が締結具を横切る第１の位置決め突起及び第２の位置決め突起とを用意し、
前記第１の位置決め突起と第２の位置決め突起とを結ぶ直線と一致するように前記締結具に第１のマーキングを施し、
前記第１の位置決め突起と第２の位置決め突起とを結ぶ直線に一致するように前記締結対象に第２のマーキングを施す、
締結具マーキング方法。
【請求項７】
前記第１の位置決め突起の端から第２の位置決め突起の端まで前記締結対象に前記第２のマーキングを施す、請求項６に記載の締結具マーキング方法。
【発明の詳細な説明】
【技術分野】
【０００１】
本発明は、締結具に対してマーキングを施すための締結具マーキング構造及び締結具マーキング方法に関する。
【背景技術】
【０００２】
浮上式鉄道は、ガイドウェイ上に敷設された地上コイルを有する。この地上コイルは側壁及びボルト・ナットによって締結されている。ボルト・ナットに弛みが生じた場合、増し締めに即時に対応できるように、ボルト・ナットにマーキングが施されている。
【発明の概要】
【発明が解決しようとする課題】
【０００３】
しかし、上記マーキングは、作業者の熟練度の癖で一致せず、多くの場合、見難かった。また、上記マーキングは、施工を困難にする、上下のずれる、水平に引けない、不均一な長さになるという問題を有していた。
【０００４】
そこで、本発明の目的は、マーキングの作業性を改善する締結具マーキング構造及び締結具マーキング方法を提供することにある。
【課題を解決するための手段】
【０００５】
以下、符号を付して本発明の特徴を説明する。なお、符号は参照のためであり、本発明を実施形態に限定するものでない。
【０００６】
本発明の第１の特徴に係わる締結具マーキング構造は、取り付けられる締結具（１２）と一致する範囲の締結部位（１１ｂ）を有する締結対象（１１）と、締結対象（１１）の上において締結部位（１１ｂ）に対して両側に配置される第１の位置決め突起（１７）及び第２の位置決め突起（１８）とを有し、前記第１の位置決め突起（１７）及び第２の位置決め突起（１８）を結ぶ直線（Ｌ１）が締結部位（１１ｂ）を横切る。
【０００７】
以上の第１の特徴において、第１の位置決め突起（１７）及び第２の位置決め突起（１８）を結ぶ直線は締結対象（１１）に取付けられた締結具（１２ａ）を横切る。
【０００８】
締結具（１２）は第１の位置決め突起（１７）及び第２の位置決め突起（１８）を結ぶ直線（Ｌ１）と一致する第１のマーキング（１４）を有する。締結対象（１１）は、第１の位置決め突起（１７）及び第２の位置決め突起（１８）を結ぶ直線と一致する第２のマーキング（１５、１６）を有する。
【０００９】
第２のマーキング（１５、１６）は第１の位置決め突起（１７）の端から第２の位置決め突起（１８）の端まで延びる。
【００１０】
第１の位置決め突起（１７）及び第２の位置決め突起（１８）の少なくとも一方は、第１の位置決め突起（１７）及び第２の位置決め突起（１８）を結ぶ直線（Ｌ１）上で直線に延びる。
【００１１】
本発明の第２の特徴に係わる締結具マーキング方法では、締結具（１２）が取り付けられた締結対象（１１）の上において締結具（１２）に対して両側に配置されると共に互いを結ぶ直線（Ｌ１）が締結具（１２）を横切る第１の位置決め突起（１７）及び第２の位置決め突起（１８）とを用意し、第１の位置決め突起（１７）と第２の位置決め突起（１８）とを結ぶ直線と一致するように締結具（１２）に第１のマーキング（１４）を施し、第１の位置決め突起（１７）と第２の位置決め突起（１８）とを結ぶ直線に一致するように締結対象（１１）に第２のマーキング（１５、１６）を施す。
【００１２】
以上の第２の特徴において、第１の位置決め突起（１７）の端から第２の位置決め突起の端（１８）まで締結対象（１１）に第２のマーキング（１５、１６）を施す。
【発明の効果】
【００１３】
本発明の特徴によれば、第１及び第２の位置決め突起を利用してマーキングを施すと、各マーキングのずれ、見にくさを無くし、統一したマーキングが引けるようになる。これにより、マーキング作業性の改善、また、マーキングのチェックの視認性を向上させる。
【図面の簡単な説明】
【００１４】
【図１】実施形態に係る締結具マーキング構造の斜視図である。
【図２】図１に示す第１の位置決め突起と第２の位置決め突起とを結ぶ直線を示す斜視図である。
【図３】（Ａ）、（Ｂ）、（Ｃ）は、締結具及び締結対象にマーキングを施す工程を示す立面図である。
【発明を実施するための形態】
【００１５】
以下、図面を参照して実施の形態を詳細に説明する。
【００１６】
図１に示すように、締結具マーキング構造１０は、リニアモータカーのリニアモーターコイルの地上コイル１１を側壁２１（地上コイルの背面側）にワッシャ１３を介在して取り付けるボルト１２を有する。同構造１０は、ボルト１２に配置された第１のマーキング１４と、地上コイル１１に配置された第２及び第３のマーキング１５、１６と、地上コイル１１から突出する第１及び第２の位置決め突起１７、１８を有する。
【００１７】
締結具としてのボルト１２は、六角形のボルト頭部１２ａと、ボルト頭部１２ａから延びると共にねじ山を備えた軸部を有する。
【００１８】
締結対象としての地上コイル１１はＵ形の凹部１１ａを有する。地上コイル１１は、凹部１１ａにボルト１２の軸部を挿入するためのねじ孔を有する。地上コイル１１は、凹部１１ａに取り付けられるボルト頭部１２ａと一致する範囲の締結部位１１ｂを有する。
【００１９】
第１のマーキング１４は、ボルト頭部１２ａを横切るように直線に延びる。第１のマーキング１４は、図２に示すような第１の位置決め突起１７と第２の位置決め突起１８とを結ぶ直線Ｌ１と一致するように延びる。なお、第１のマーキング１４はボルト頭部１２ａの中心を通ってもよい。
【００２０】
第２及び第３のマーキング１５、１６は、第１のマーキング１４に対して両側に配置される。第２及び第３のマーキング１５、１６は、第１のマーキング１４に対して直列にかつ、一直線上に配置される。第２及び第３のマーキング１５、１６は、第１の位置決め突起１７と第２の位置決め突起１８とを結ぶ直線Ｌ１と一致するように直線に延びる（図２参照）。第２のマーキング１５は第１の位置決め突起１７の端からの延びる。第３のマーキング１６は第２の位置決め突起１８の端から延びる。
【００２１】
第１及び第２の位置決め突起１７、１８は、締結部位１１ｂ及びボルト頭部１２ａに対して両側に配置される。前記第１及び第２の位置決め突起１７、１８を結ぶ直線Ｌ１は、締結部位１１ｂ、ボルト頭部１２ａを横切る（図２参照）。前記第１及び第２の位置決め突起１７、１８は、前記第１及び第２の位置決め突起１７、１８を結ぶ直線Ｌ１上で直線に延びる（図２参照）。第１及び第２の位置決め突起１７、１８は、例えば、型を用いて、地上コイル１１と一体成型される。
【００２２】
次に、図３を参照して、ボルト１２に対するマーキング方法を説明する。
【００２３】
同図（Ａ）に示すように、地上コイル１１の凹部１１ａの締結部位１１ｂにボルト１２を位置決めし、ボルト１２の軸部をワッシャ１３及び地上コイル１１のねじ孔に挿入する。ボルト頭部１２ａを治具で回転させ、ボルト１２を締める。
【００２４】
同図（Ｂ）に示すように、第１及び第２の位置決め突起１７、１８の下に、例えば、定規１９を当てる。マーカーを用いて、第１の位置決め突起１７の端から第２の位置決め突起１８の端までボルト頭部１２ａを横切るように定規１９に沿ってラインを引く。ここで、第１及び第２の位置決め突起１７、１８は、定規１９を位置決めるので、定規１９を上下ずらすこと、及び、傾けることを防止する。
【００２５】
以上より、同図（Ｃ）に示すように、第１のマーキング１４がボルト頭部１２ａに施される。第２及び第３のマーキング１５、１６が地上コイル１１に施される。第１、第２、第３のマーキング１４、１５、１６は一直線上に配置され、上下の位置のずれ、傾きが防止され、マーキング長さが統一され、また、水平度が保たれる。
【００２６】
以上の実施形態によれば、第１及び第２の位置決め突起１７、１８を利用して、第１、第２、第３のマーキング１４、１５、１６を簡単に且つ正確に位置決めする。これにより、各マーキング１４、１５、１６のずれ、見にくさを無くし、統一したマーキングが引けるようになる。これにより、マーキング作業性を改善し、また、マーキングのチェックの視認性を向上させる。
【００２７】
なお、本発明は本実施形態に限定されず、また、各実施形態は発明の趣旨を変更しない範囲で変更、修正可能である。締結具は、ボルトに限られず、ナット、ねじでもよい。
【符号の説明】
【００２８】
１０  締結具マーキング構造
１１  地上コイル
１１ｂ  締結部位
１２  ボルト
１４  第１のマーキング
１５  第２のマーキング
１６  第３のマーキング
１７  第１の位置決め突起
１８  第２の位置決め突起
【図１】
2011089259.tif 000003
【図２】
2011089259.tif 000004
【図３】
2011089259.tif 000005